(57)【要約】【課題】簡単に短時間でユーザーの所望する色に調整することができる色調整装置及び色調整方法を提供する。【解決手段】色調整装置２０は、プロジェクタ３０等の表示媒体に表示される画像を色調整する装置であって、ＰＣ１０等の出力媒体から出力される画像信号に基づき、リファレンスとなる色情報を表示媒体に表示し、その色情報の中からユーザーが選択した色情報に基づき、出力媒体の色空間を調整することにより、出力媒体からユーザーが所望する色調整結果を出力させる。【選択図】図２
2015222896.tif 000002
【特許請求の範囲】
【請求項１】
表示媒体に表示される画像を色調整する色調整装置であって、
出力媒体から出力される画像信号に基づき、リファレンスとなる色情報を前記表示媒体に表示し、前記色情報の中からユーザーが選択した色情報に基づき、前記出力媒体の色空間を調整することにより、前記出力媒体からユーザーが所望する色調整結果を出力させることを特徴とする色調整装置。
【請求項２】
前記出力媒体から出力される画像信号からデータイネーブル信号を分離する信号分離部と、
前記信号分離部により分離されたデータイネーブル信号に基づき、前記表示媒体上の水平座標及び垂直座標を算出する座標算出部と、
前記座標算出部により算出された水平座標及び垂直座標に基づき、リファレンス画像表示領域を算出する座標オフセット部と、
前記座標オフセット部により算出されたリファレンス画像表示領域に基づき、前記表示媒体に表示する所定数のリファレンス画像を生成するリファレンス画像表示部と、
前記表示媒体に表示された所定数のリファレンス画像の中からユーザーが選択したリファレンス画像を示す選択情報に基づき、色補正情報を算出する制御部と、
前記出力媒体から出力される画像信号と前記リファレンス画像表示部により生成されたリファレンス画像とを選択的に切り替えて画像データを出力する選択部と、
前記制御部により算出された色補正情報に基づき、前記選択部から出力される画像データに対して色調に関する補正を行う色補正部と
を備えることを特徴とする請求項１記載の色調整装置。
【請求項３】
前記所定数のリファレンス画像には、リファレンス画像に対して色補正が行われた画像が含まれることを特徴とする請求項２記載の色調整装置。
【請求項４】
表示媒体に表示される画像を色調整する色調整方法であって、
出力媒体から出力される画像信号に基づき、リファレンスとなる色情報を前記表示媒体に表示し、前記色情報の中からユーザーが選択した色情報に基づき、前記出力媒体の色空間を調整することにより、前記出力媒体からユーザーが所望する色調整結果を出力させることを特徴とする色調整方法。
【発明の詳細な説明】
【技術分野】
【０００１】
本発明は、画像の色を調整する色調整装置及び色調整方法に関する。
【背景技術】
【０００２】
近年、パーソナルコンピュータ（以下、ＰＣ）やブルーレイプレーヤー等で再生した画像や映像をプロジェクタや大型ディスプレイ等に表示し、会議やプレゼンテーション、ホームシアター等の用途で幅広く利用している。しかしながら、このようにユーザーの所有する端末から様々な表示媒体に接続して表示を行う場合、各デバイスの表示特性や表示環境の違いから、実際の画像と表示した画像の見え方が大きく異なってしまうことがある。このような見かけの色が異なることよって、視認性が低くなり情報の取得に影響を及ぼすことや、ユーザーが伝えたい色表現ができないことがある。
【０００３】
そこで、表示する画像の色調整をするとこにより見え方の差を埋める方法が知られている。例えば、特許文献１には、表示媒体内部に調整機能と調整時に使用する色調整用画面を持つことで、ユーザーが利用前に環境に応じた色調整を行う技術が開示されている。また、特許文献２や特許文献３には、ユーザーが色相、彩度、明度を指定することなく色調整を行う技術が開示されている。
【先行技術文献】
【特許文献】
【０００４】
【特許文献１】特開２００６―２１５１４６号公報
【特許文献２】特開２００６―２９３０８７号公報
【特許文献３】特開２００８―０４６５３６号公報
【発明の概要】
【発明が解決しようとする課題】
【０００５】
上記の従来技術によれば、プレゼンテーション等の前にユーザーの好みや視聴環境に合わせて表示の色を変えることが可能となる。しかしながら、特許文献１の手法では、１色ずつの調整しかできず色の表現が不十分となる可能性がある。また、３次元色空間のそれぞれで調整するため、画質にこだわることができるが、調整時間がかかってしまう。特許文献２の手法では、複数の結果を並べて表示することでユーザーの感覚に近いものを選択するため、内部にメモリを保有しなければならずコストアップとなる。特許文献３の手法では、ユーザーがパラメータを調整する必要がないが、ユーザーの好みの色を表現できない。また、調整のためにイメージセンサをプロジェクタへ取り付ける必要がある。
【０００６】
そこで、本発明は上記問題を解決すべく、簡単に短時間でユーザーの所望する色に調整することができる色調整装置及び色調整方法を提供することを目的とする。
【課題を解決するための手段】
【０００７】
前記課題を解決するために、本発明の実施形態における色調整装置は、表示媒体に表示される画像を色調整する色調整装置であって、出力媒体から出力される画像信号に基づき、リファレンスとなる色情報を前記表示媒体に表示し、前記色情報の中からユーザーが選択した色情報に基づき、前記出力媒体の色空間を調整することにより、前記出力媒体からユーザーが所望する色調整結果を出力させる。
【０００８】
具体的には、前記出力媒体から出力される画像信号からデータイネーブル信号を分離する信号分離部と、前記信号分離部により分離されたデータイネーブル信号に基づき、前記表示媒体上の水平座標及び垂直座標を算出する座標算出部と、前記座標算出部により算出された水平座標及び垂直座標に基づき、リファレンス画像表示領域を算出する座標オフセット部と、前記座標オフセット部により算出されたリファレンス画像表示領域に基づき、前記表示媒体に表示する所定数のリファレンス画像を生成するリファレンス画像表示部と、前記表示媒体に表示された所定数のリファレンス画像の中からユーザーが選択したリファレンス画像を示す選択情報に基づき、色補正情報を算出する制御部と、前記出力媒体から出力される画像信号と前記リファレンス画像表示部により生成されたリファレンス画像とを選択的に切り替えて画像データを出力する選択部と、前記制御部により算出された色補正情報に基づき、前記選択部から出力される画像データに対して色調に関する補正を行う色補正部とを備える。
【０００９】
また、前記所定数のリファレンス画像には、リファレンス画像に対して色補正が行われた画像が含まれてもよい。
【００１０】
また、前記課題を解決するために、本発明の実施形態における色調整方法は、表示媒体に表示される画像を色調整する色調整方法であって、出力媒体から出力される画像信号に基づき、リファレンスとなる色情報を前記表示媒体に表示し、前記色情報の中からユーザーが選択した色情報に基づき、前記出力媒体の色空間を調整することにより、前記出力媒体からユーザーが所望する色調整結果を出力させる。
【発明の効果】
【００１１】
本発明によれば、簡単に短時間でユーザーの所望する色に調整することができる色調整装置及び色調整方法を提供することが可能である。
【図面の簡単な説明】
【００１２】
【図１】本発明の実施形態における色調整装置の使用例を示す図である。
【図２】本発明の実施形態における色調整装置の構成を示すブロック図である。
【図３】本発明の実施形態における色調整装置の動作を示すフローチャートである。
【図４】本発明の実施形態における表示画面上の座標とリファレンス画像表示領域における座標との関係を示す図である。
【図５】本発明の実施形態におけるリファレンス画像表示領域に数種類のリファレンスに近い画像が関連付けられることを説明するための図である。
【図６】本発明の実施形態におけるリファレンス画像表示領域の具体例１を示す図である。
【図７】本発明の実施形態におけるリファレンス画像表示領域の具体例２を示す図である。
【図８】本発明の実施形態におけるリファレンス画像表示領域の具体例３を示す図である。
【図９】本発明の実施形態におけるリファレンス画像表示領域の具体例４を示す図である。
【発明を実施するための形態】
【００１３】
以下、図面を参照して本発明の一実施形態を説明する。構造に関する図面は模式的なものであり、現実のものとは異なる。また、図面相互間においても互いの寸法の関係や比率が異なる部分が含まれている。
【００１４】
（使用例）
図１は、本発明の実施形態における色調整装置２０の使用例を示す図である。この図に示すように、ＰＣ１０とプロジェクタ３０との間に色調整装置２０が接続されている。ここでは、ＰＣ１０に保存されたプレゼン資料をプロジェクタ３０で大型スクリーン等の表示画面４０に投影し、プレゼン前に色調整を行う場面を想定している。
【００１５】
ＰＣ１０は、画像を出力する出力媒体の一例であり、ディスプレイ１１、キーボード１２、マウス１３等を備える。以下、キーボード１２とマウス１３を一括して「入力部」という。色調整装置２０は、ＰＣ１０から出力される画像信号を色調整してプロジェクタ３０に出力する。プロジェクタ３０は、画像を表示する表示媒体の一例であり、大型スクリーン等の表示画面４０にプレゼン資料の画像や色調整用のリファレンス画像を投影する。ユーザーは、表示画面４０に表示されたリファレンス画像を見ながらＰＣ１０の入力部１２（１３）を操作することにより表示画面４０の色調整を行う。
【００１６】
なお、ここでは、ＰＣ１０やプロジェクタ３０と別体の色調整装置２０を例示しているが、本発明はこれに限定されるものではない。例えば、色調整装置２０は、ＰＣ１０の本体に搭載される色調整回路として実現することもできる。
【００１７】
また、出力媒体としてＰＣ１０を例示し、表示媒体としてプロジェクタ３０を例示しているが、本発明はこれに限定されるものではない。例えば、ＰＣ１０に代えてタブレットやブルーレイプレーヤー等を出力媒体として採用してもよいし、プロジェクタ３０に代えて大型ディスプレイ等を表示媒体として採用してもよい。
【００１８】
（構成）
図２は、本発明の実施形態における色調整装置２０の構成を示すブロック図である。この色調整装置２０は、信号分離部２１と、座標算出部２２と、座標オフセット部２３と、リファレンス画像表示部２４と、制御部２５と、選択部２６と、色補正部２７とを備える。
【００１９】
信号分離部２１は、ＰＣ１０から出力される画像信号を選択部２６に供給するとともに、ＰＣ１０から出力される画像信号からデータイネーブル信号を分離して座標算出部２２に送出する。データイネーブル信号は、画像信号の有効期間を示す信号である。座標算出部２２は、信号分離部２１により分離されたデータイネーブル信号から表示画面４０上の水平座標及び垂直座標を算出して座標オフセット部２３に送出する。座標オフセット部２３は、座標算出部２２から送出された水平座標及び垂直座標からリファレンス画像表示領域５０を算出してリファレンス画像表示部２４に送出する。リファレンス画像表示部２４は、座標オフセット部２３から送出されたリファレンス画像表示領域５０とそのリファレンス画像表示領域５０から算出されるリファレンス色情報からリファレンス画像を生成して選択部２６に送出する。入力部１２（１３）は、表示画面４０に表示されたリファレンス画像からユーザーが選択したリファレンス画像情報（選択情報）を制御部２５に送出する。制御部２５は、制御信号を各部に送出するとともに、入力部１２（１３）から送出された選択情報をもとに色補正情報を算出して色補正部２７に送出する。選択部２６は、信号分離部２１から送出された画像信号とリファレンス画像表示部２４により生成された画像信号を選択的に切り替える。すなわち、通常の画像、リファレンス画像、又は通常の画像とリファレンス画像とを掛け合わせた画像の画像データが選択部２６から出力されるようになっている。色補正部２７は、制御部２５から送出された色補正情報に基づき、選択部２６から出力される画像データに対して色調に関する補正を行う。プロジェクタ３０は、色補正部２７からの出力信号を表示画面４０に投影する。これにより、通常の画像とリファレンス画像とが同一の表示画面４０上に表示されることになる。
【００２０】
このように、ＰＣ１０等の出力媒体から出力された信号を色調整装置２０に通し、プロジェクタ３０等の表示媒体から映像を出力する。色調整を行う場合は、数種類のリファレンスに近い色情報を表示画面４０に表示する。具体的には、ＷＲＧＢのような数種類の色や画像、グレースケール、２次元カラーグラデーション等を表示画面４０に表示するようになっている。これにより、ユーザーがリファレンスの色情報と最も近いと感じる色、もしくは最も好みの色を選択すると、選択された色に関連付けされた調整パラメータで色調整が行われる。調整パラメータとは、出力媒体の色空間を調整するためのパラメータである。出力媒体の色から調整したい色への差分により調整パラメータを求めることができる。その結果、ユーザーの所望する色調整結果を表示画面４０に表示することが可能となる。
【００２１】
（動作）
以下、図３〜図５を用いて本発明の実施形態における色調整装置２０の動作を説明する。
【００２２】
まず、信号分離部２１には、ＰＣ１０から出力される通常の画像信号が入力される。信号分離部２１は、入力された画像信号のうち、画像信号の有効期間を示すデータイネーブル信号（以降、１が有効期間、０が非有効期間とする。）を分離して座標算出部２２に送出するとともに、入力された画像信号をそのまま選択部２６に送出する。
【００２３】
座標算出部２２は、表示画面４０上における水平座標及び垂直座標をデータイネーブル信号から算出する（図３、Ｓ１）。具体的には、図４に示すように、水平方向１周期においてデータイネーブル信号の論理が１となる数を画像クロックでカウントすることにより、表示画面４０上の水平座標ｕを算出する。一方、垂直方向１周期においてデータイネーブル信号の論理が０から１に変化するエッジの数を画像クロックでカウントすることにより、表示画面４０上の垂直座標ｖを算出する。なお、水平座標ｕ及び垂直座標ｖを算出する場合、表示画面４０の座標０、つまり（ｕ，ｖ）＝（０，０）の座標は、既知である水平同期信号の開始点からの座標、垂直同期信号の開始点からの座標から算出される。
【００２４】
座標算出部２２により算出された水平座標ｕ及び垂直座標ｖは、座標オフセット部２３に入力される。座標オフセット部２３は、水平座標ｕ及び垂直座標ｖからリファレンス画像表示領域座標を算出する（図３、Ｓ２）。
【００２５】
具体的には、以下のような演算が行われる。図４において、斜線の領域がリファレンス画像表示領域５０である。ここでは、リファレンス画像表示領域５０の水平方向の大きさをＷ、垂直方向の大きさをＨとする。リファレンス画像表示領域５０の表示開始位置や大きさＷ、Ｈは、制御部２５から与えられる構成としてもよいし、入力部１２（１３）からユーザーが任意に設定できる構成としてもよいし、固定値であってもよい。
【００２６】
リファレンス画像表示領域５０の中心を０として、横軸にｘ軸、縦軸にｙ軸をとる。リファレンス画像表示領域５０内の座標を（ｘ，ｙ）とし、表示画面４０上の座標（ｕ，ｖ）におけるリファレンス画像表示領域５０の表示開始座標を（ｕ０，ｖ０）とすると、
水平座標ｘ＝ｕ−水平座標のオフセット値
垂直座標ｙ＝ｖ−垂直座標のオフセット値
と表される。ここで、
水平座標のオフセット値＝ｕ０＋Ｗ÷２
垂直座標のオフセット値＝ｖ０＋Ｈ÷２
である。このように、表示画面４０上の座標（ｕ，ｖ）から、リファレンス画像表示領域５０の中心を原点とする座標（ｘ，ｙ）に変換する。
【００２７】
リファレンス画像表示部２４は、数種類のリファレンスに近い画像をリファレンス画像表示領域５０に表示するため、以下の処理を行う。すなわち、図５に示すように、リファレンス画像表示領域５０の座標ｘ、ｙと大きさＷ、Ｈから、リファレンス画像表示領域５０を３つの分割領域５０ａ、５０ｂ、５０ｃに分割し、それぞれの分割領域５０ａ、５０ｂ、５０ｃに関連付けられた画像を表示する（図３、Ｓ３→Ｓ４）。リファレンス画像表示領域５０の分割数や分割領域５０ａ、５０ｂ、５０ｃに関連付けられた画像は、制御部２５から与えられるものであってもよいし、固定値であってもよい。分割領域５０ａ、５０ｂ、５０ｃに関連付けられた画像は、リファレンス画像に対して色補正が行われた画像（少しずつ違った画像）であり、それぞれの画像に対する色補正情報は、制御部２５により関連付けられているものとする。
【００２８】
ユーザーは、表示された数種類の画像から所望の画像を入力部１２（１３）から選択する（図３、Ｓ５）。制御部２５は、入力部１２（１３）からの選択情報に基づき、選択された画像に関連付けられた色補正情報を算出し、色補正部２７に送出する（図３、Ｓ６）。これにより、色補正情報に基づき色補正が実施され、その色補正の実施結果が表示画面４０に表示される（図３、Ｓ７→Ｓ８）。
【００２９】
以上で色調整が終了する（図３、Ｓ９：ＮＯ）。別のリファレンス画像がある場合は（図３、Ｓ９：ＹＥＳ）、その別のリファレンス画像に対して色補正が行われた画像を同様の手順で分割領域５０ａ、５０ｂ、５０ｃに表示してもよい（図３、Ｓ１０→Ｓ１）。
【００３０】
（具体例１）
図６は、リファレンス画像表示領域５０の具体例１を示す図である。この図に示すように、複数のリファレンス画像表示領域５１Ｗ、５１Ｒ、５１Ｇ、５１Ｂを備えてもよい。
【００３１】
リファレンス画像表示領域５１Ｗは、所望のＷ（白色）を選択するためのリファレンス画像表示領域５０である。このリファレンス画像表示領域５１Ｗの分割領域５１Ｗａ、５１Ｗｂ、５１Ｗｃには、赤色っぽい白色の画像や青色っぽい白色の画像等、リファレンスとなるＷ（白色）の画像に対して色補正が行われた画像が関連付けられる。
【００３２】
リファレンス画像表示領域５１Ｒは、所望のＲ（赤色）を選択するためのリファレンス画像表示領域５０である。このリファレンス画像表示領域５１Ｒの分割領域５１Ｒａ、５１Ｒｂ、５１Ｒｃには、緑色っぽい赤色の画像や青色っぽい赤色の画像等、リファレンスとなるＲ（赤色）の画像に対して色補正が行われた画像が関連付けられる。
【００３３】
リファレンス画像表示領域５１Ｇは、所望のＧ（緑色）を選択するためのリファレンス画像表示領域５０である。このリファレンス画像表示領域５１Ｇの分割領域５１Ｇａ、５１Ｇｂ、５１Ｇｃには、青色っぽい緑色の画像や白色っぽい緑色の画像等、リファレンスとなるＧ（緑色）の画像に対して色補正が行われた画像が関連付けられる。
【００３４】
リファレンス画像表示領域５１Ｂは、所望のＢ（青色）を選択するためのリファレンス画像表示領域５０である。このリファレンス画像表示領域５１Ｂの分割領域５１Ｂａ、５１Ｂｂ、５１Ｂｃには、白色っぽい青色の画像や赤色っぽい青色の画像等、リファレンスとなるＢ（青色）の画像に対して色補正が行われた画像が関連付けられる。
【００３５】
（具体例２）
図７は、リファレンス画像表示領域５０の具体例２を示す図である。この図に示すように、２次元カラーグラデーションのリファレンス画像表示領域５２を備えてもよい。リファレンス画像表示領域５２の分割領域５２ａ、５２ｂ、５２ｃには、赤色の濃淡画像や青色の濃淡画像等、２次元カラーグラデーションの画像に対して色補正が行われた画像が関連付けられる。
【００３６】
（具体例３）
図８は、リファレンス画像表示領域５０の具体例３を示す図である。この図に示すように、風景のリファレンス画像表示領域５３を備えてもよい。リファレンス画像表示領域５３の分割領域５３ａ、５３ｂ、５３ｃには、赤色っぽい風景の画像や青色っぽい風景の画像等、風景の画像に対して色補正が行われた画像が関連付けられる。
【００３７】
（具体例４）
図９は、リファレンス画像表示領域５０の具体例４を示す図である。この図に示すように、５つに分割されたリファレンス画像表示領域５４を備えてもよい。リファレンス画像表示領域５４の分割領域５４ａ、５４ｂ、５４ｃ、５４ｄ、５４ｅには、赤色っぽい画像、緑色っぽい画像、青色っぽい画像、白っぽい画像、黒っぽい画像等、リファレンスとなる色の画像に対して色補正が行われた画像が関連付けられる。
【００３８】
以上のように、本発明の実施形態における色調整装置２０は、プロジェクタ３０等の表示媒体に表示される画像を色調整する装置であって、ＰＣ１０等の出力媒体から出力される画像信号に基づき、リファレンスとなる色情報を表示媒体に表示し、その色情報の中からユーザーが選択した色情報に基づき、出力媒体の色空間を調整することにより、出力媒体からユーザーが所望する色調整結果を出力させる。これにより、簡単に短時間でユーザーの所望する色に調整することが可能である。
【００３９】
具体的には、出力媒体から出力される画像信号からデータイネーブル信号を分離する信号分離部２１と、信号分離部２１により分離されたデータイネーブル信号に基づき、表示媒体上の水平座標及び垂直座標を算出する座標算出部２２と、座標算出部２２により算出された水平座標及び垂直座標に基づき、リファレンス画像表示領域５０を算出する座標オフセット部２３と、座標オフセット部２３により算出されたリファレンス画像表示領域５０に基づき、表示媒体に表示する所定数のリファレンス画像を生成するリファレンス画像表示部２４と、表示媒体に表示された所定数のリファレンス画像の中からユーザーが選択したリファレンス画像を示す選択情報に基づき、色補正情報を算出する制御部２５と、出力媒体から出力される画像信号とリファレンス画像表示部２４により生成されたリファレンス画像とを選択的に切り替えて画像データを出力する選択部２６と、制御部２５により算出された色補正情報に基づき、選択部２６から出力される画像データに対して色調に関する補正を行う色補正部２７とを備える。これにより、表示媒体に表示された所定数（例えば数種類）のリファレンス画像の中から所望のリファレンス画像を選択するだけで、簡単に短時間でユーザーの所望する色に調整することが可能となる。
【００４０】
また、所定数のリファレンス画像には、リファレンス画像に対して色補正が行われた画像が含まれる。これにより、色調整の知識がないユーザーでも短時間でユーザーの好みの色やリファレンスとなる表示色に近い色を表現することが可能となる。
【００４１】
なお、本発明は、色調整装置２０として実現することができるだけでなく、色調整装置２０が備える特徴的な処理部をステップとする色調整方法として実現したり、それらのステップをコンピュータに実行させる色調整プログラムとして実現したりすることも可能である。このようなプログラムは、ＣＤ−ＲＯＭなどの記録媒体やインターネットなどの伝送媒体を介して配信することができるのはいうまでもない。
【００４２】
（その他の実施形態）
本発明の実施形態を記載したが、この開示の一部をなす論述および図面は例示的なものであり、この発明を限定するものであると理解すべきではない。この開示から当業者には様々な代替実施形態、実施例および運用技術が明らかとなろう。
【符号の説明】
【００４３】
１０  ＰＣ（出力媒体）
１２  入力部
１３  入力部
２０  色調整装置
２１  信号分離部
２２  座標算出部
２３  座標オフセット部
２４  リファレンス画像表示部
２５  制御部
２６  選択部
２７  色補正部
３０  プロジェクタ（表示媒体）
４０  表示画面
５０  リファレンス画像表示領域
【図１】
2015222896.tif 000003
【図２】
2015222896.tif 000004
【図３】
2015222896.tif 000005
【図４】
2015222896.tif 000006
【図５】
2015222896.tif 000007
【図６】
2015222896.tif 000008
【図７】
2015222896.tif 000009
【図８】
2015222896.tif 000010
【図９】
2015222896.tif 000011